(57)【要約】【課題】  太陽電池の受光面積を広くしてその発生電力を高くし、目障りにならず、デザイン的にも問題の無い携帯電話機を提供すること。【解決手段】  キーボタン及び表示部を含む携帯電話機であって、透明太陽電池を表示部の表面全面に貼って成り、その発生電力を携帯電話機の動作電源乃至内蔵電池の充電電源とする。【選択図】        図１
2005136531.tif 000002
【特許請求の範囲】
【請求項１】
キーボタン及び表示部を含む携帯電話機であって、透明太陽電池を表示部の表面全面に貼って成り、その発生電力を携帯電話機の動作電源とすることを特徴とする透明太陽電池付携帯電話機。
【請求項２】
キーボタンと表示部がヒンジ部を中心にして対向して配置され、ヒンジ部を中心に回転させて折り畳み可能に構成されていることを特徴とする請求項１に記載の透明太陽電池付携帯電話機。
【請求項３】
透明太陽電池の発生電力で表示部のバックライトを点灯するようにしたことを特徴とする請求項１又は請求項２に記載の透明太陽電池付携帯電話機。
【請求項４】
透明太陽電池の発生電力を携帯電話機の動作電源として、内蔵電池の消耗を防ぐようにしたことを特徴とする請求項１又は請求項２に記載の透明太陽電池付携帯電話機。
【請求項５】
透明太陽電池の発生電力で内蔵電池を充電するようにしたことを特徴とする請求項１又は請求項２に記載の透明太陽電池付携帯電話機。
【発明の詳細な説明】
【技術分野】
【０００１】
本発明は、透明太陽電池付携帯電話機に関する。
【背景技術】
【０００２】
ヒンジ部を中心にして一方にキーボタンを、他方に表示装置を対向して配置して、ヒンジ部を中心に回転させて折り畳み可能に構成された携帯電話機であって、上記表示装置の周囲に太陽電池を配置し、その発生電力を動作電源に使用し、或いは内蔵電池の充電等に使用可能にした携帯電話機が提案されている。（例えば、特許文献１参照）
【０００３】
またガラス基板に可視光透過型光起電力セルを形成して、これに太陽光を当て、太陽光のうちの紫外光を利用して発電するようにした、可視光及び赤外光を透過する透明な太陽電池が提案されている。（例えば、非特許文献１参照）
【０００４】
【特許文献１】特開２００１−２９２２１４号公報
【非特許文献１】「透明な太陽電池の試作に成功」（独立行政法人産業技術総合研究所、２００３年６月２５日プレス発表）
【発明の開示】
【発明が解決しようとする課題】
【０００５】
しかし前記特許文献１の携帯電話機の場合、従来の表示装置の表示面積の大きさのままでその周囲に太陽電池を配置するには、表示装置の周囲の空き面積が小さいために太陽電池の受光面積が制約されて、発生電力はそれほど高くはない。また太陽電池の受光面積を大きくしようとすると、表示装置の表示面積を小さくせざるをえない。さらに太陽電池の受光面は一般的には黒色等の色彩を帯びており、表示装置の周囲に色彩を帯びた太陽電池を配置すると目障りになり、色彩によってはデザイン的にも好ましくない場合があり、配置するのに制約を受ける。
【０００６】
本発明は上記のような点に鑑み、太陽電池の受光面積を広くしてその発生電力を高くし、しかも太陽電池を設けても目障りにならず、デザイン的にも問題の無い携帯電話機を提供することを目的とする。
【課題を解決するための手段】
【０００７】
上記目的を達成するために、本発明の透明太陽電池付携帯電話機は、キーボタン及び表示部を含む携帯電話機であって、透明太陽電池を表示部の表面全面に貼って成り、その発生電力を携帯電話機の動作電源とすることを特徴とする。
【０００８】
また上記において、キーボタンと表示部がヒンジ部を中心にして対向して配置され、ヒンジ部を中心に回転させて折り畳み可能に構成されていることを特徴とする。
【０００９】
また上記において、透明太陽電池の発生電力で表示部のバックライトを点灯するようにしたことを特徴とする。
【００１０】
さらに上記において、透明太陽電池の発生電力を携帯電話機の動作電源として、内蔵電池の消耗を防ぐようにしたことを特徴とする。
【００１１】
さらにまた上記において、透明太陽電池の発生電力で内蔵電池を充電するようにしたことを特徴とする。
【発明の効果】
【００１２】
本発明によれば、透明太陽電池を表示部の表面全面に貼り付けたことにより、受光面積を大きくして、携帯電話機の動作に必要な電力を得ることができ、しかも太陽電池が透明であることにより太陽電池を設けても目障りにならず、デザイン的に問題になることも無い。
【発明を実施するための最良の形態】
【００１３】
本発明を実施するための最良の形態を実施例に基づき図面を参照して説明する。
【実施例１】
【００１４】
図１は実施例１の携帯電話機の外観を概略的に示す。
図示の携帯電話機１０は、本体１と蓋体１４とがヒンジ部１８を介して連結され、ヒンジ部１８を中心に内側に回転させて折り畳む形式のものであるが、ヒンジ部１８を有さず、折り畳まない形式のものであってもよい。
本体１１にはキーボタンを備えた操作部１２とマイク１３等が設けられ、また本体１１内に図示しない携帯電話機１０の動作に必要な制御回路、内蔵電池等が納められている。
蓋体１４には液晶表示部１６、スピーカ１７、外部と通信するためのアンテナ１８等が設けられている。このような携帯電話機は従来のものと同じである。
【００１５】
本発明は、上記液晶表示部１６の表面全面に透明太陽電池１５を貼り付けた点に特徴がある。
透明太陽電池は、ガラス基板に多数の紫外光により発電する可視光透過型光起電力セルを形成し、所定の電圧と電流を出力するように、適宜にこれら多数のセルから成るモジュールを直並列に接続したものであり、本発明ではこのような透明太陽電池１５を液晶表示部１６の表面全面に貼り付けている。
【００１６】
透明太陽電池１５は上記非特許文献１に開示されているように、可視光を透過するので、透明太陽電池の下部に位置する表示部１６の表示画像は透明太陽電池１５を通して見ることができる。
また透明太陽電池は紫外光により発電するので、太陽光に対する発電効率は低いが、表示部の表面全面を受光面積としたことにより、受光面積がかなり大きくなり、発電電力は表示部の周囲の限られた部分に太陽電池を配置した従来のものと比較して、遜色がないと云える。
また太陽電池が透明であることにより、表示部の表面に太陽電池が貼られているとは見えず、デザイン的な問題も無い。
【００１７】
図２は透明太陽電池１５と液晶表示部１６の断面図である。
１９は液晶表示部１６の照明用バックライト、２０は太陽、２１は透明太陽電池１５と液晶表示部１６との間に設けたガラス、２２はバックライトと液晶表示部の間に設けたガラスである。
【００１８】
透明太陽電池が発電した電力は、内蔵電池の補助電源として利用することができる。
通常携帯電話機は内蔵電池を電源としており、携帯電話機の使用により消耗するので常時充電する必要があり、これを怠ると使用中に電池切れとなって使用できなくなるので、注意する必要がある。
本発明では透明太陽電池が発電する電力を、内蔵電池に代えて携帯電話機の駆動電源とし、また表示部のバックライト用電源とし、また内蔵電池の充電に使うことができるので、全体として内蔵電池の消耗を抑えることができる。
【００１９】
なお透明太陽電池の発生電力を上記のいずれの電源として使用する場合であっても、発生電圧の大きさは入射光量に左右されるので、そのままの電圧を電源電圧として使用することはできない。
そこで携帯電話機の動作電圧に適合するように調整する電圧調整回路を設け、透明太陽電池の発生電力をこの電圧調整回路を介して供給する。
【実施例２】
【００２０】
以上では携帯電話機の表示部の表面に透明太陽電池を貼り付けた例について説明してきたが、これをＰＤＡ（携帯情報端末）、ノート型パソコン、その他内蔵電池と表示部を備えた携帯電子機器に応用することができ、それぞれの表示部の表面に透明太陽電池を貼り付けることにより、その発生電圧を、当該機器の動作電源乃至内蔵電池の補助電源として使用することができる。
【図面の簡単な説明】
【００２１】
【図１】実施例１の携帯電話機の外観概略図である。
【図２】透明太陽電池と液晶表示部の断面図である。
【符号の説明】
【００２２】
１０  携帯電話機
１１  本体
１２  操作部
１３  マイク
１４  蓋体
１５  透明太陽電池
１６  液晶表示部
１７  スピーカ
１８  アンテナ
１９  バックライト
２０  太陽
２１，２２  ガラス
【図１】
2005136531.tif 000003
【図２】
2005136531.tif 000004